(57)【要約】【課題】犬の糞が地面又は床面に落下する前に、容易且つ確実に回収できる、安価な、犬の糞等の廃棄物回収器を提供する。【解決手段】外周部に、外周部から所定長さ突出する柄２が固着された外環状体３と、外環状体３内に嵌入・取り外し自在の内環状体４とを備え、外環状体３内に内環状体４が嵌入される時、外環状体３内と内環状体４との間に、袋体５の開放端部全周を挟持自在に構成され、犬の糞等を回収するように構成された廃棄物回収器１を提供する。前記外環状体３と内環状体４とは、合成樹脂で形成され、夫々所定の厚みと幅と直径とを有する板状の環状体に形成される。袋体５は、合成樹脂で形成された樹脂袋又はレジ袋である。又、前記内環状体４の一端外周部に所定長さ突出する柄を固着することも可能である。【選択図】図１
0003156187.tif 000002
【実用新案登録請求の範囲】
【請求項１】
外周部に、外周部から所定長さ突出する柄が固着された外環状体と、前記外環状体内に嵌入・取り外し自在の内環状体とを備え、前記外環状体内に前記内環状体が嵌入される時、前記外環状体内と前記内環状体との間に、袋体の開放端部全周を挟持自在に構成され、犬の糞等を回収するように構成されたことを特徴とする廃棄物回収器。
【請求項２】
外周部に、外周部から所定長さ突出する柄が固着された外環状体と、前記外環状体内に嵌入・取り外し自在に構成されると共に、一端外周部の所定範囲から所定長さ突出し、突出先端部が所定幅で直線状に形成されたヘラを具備する内環状体とを備え、前記外環状体内に前記内環状体が嵌入される時、前記外環状体内と前記内環状体との間に、袋体の開放端部全周を挟持自在に構成され、塵等を回収するように構成されたことを特徴とする廃棄物回収器。
【請求項３】
前記内環状体の一端外周部に所定長さ突出する柄が固着されたことを特徴とする請求項１又は２記載の廃棄物回収器。
【請求項４】
一端外周部に、外周部から所定長さ突出する柄が固着された内環状体と、前記内環状体外周部に装着・取り外し自在の外環状体とを備え、前記内環状体外周部に前記外環状体が装着される時、前記内環状体外周部と前記外環状体との間に、袋体の開放端部全周を挟持自在に構成され、犬の糞等を回収するように構成されたことを特徴とする廃棄物回収器。
【請求項５】
一端外周部に、外周部から所定長さ突出する柄が固着された内環状体と、前記内環状体外周部に装着・取り外し自在に構成されると共に、一端外周部の所定範囲から所定長さ突出し、突出先端部が所定幅で直線状に形成されたヘラを具備する外環状体とを備え、前記内環状体外周部に前記外環状体が装着される時、前記内環状体外周部と前記外環状体との間に、袋体の開放端部全周を挟持自在に構成され、塵等を回収するように構成されたことを特徴とする廃棄物回収器。
【請求項６】
前記外環状体の一端外周部に所定長さ突出する柄が固着されたことを特徴とする請求項４又は５記載の廃棄物回収器。
【請求項７】
前記外環状体内と前記内環状体とは、合成樹脂で形成されることを特徴とする請求項１乃至６のうちいずれか一に記載の廃棄物回収器。
【請求項８】
前記外環状体は、合成樹脂で形成され、前記内環状体は、紙で形成されることを特徴とする請求項１乃至３のうちいずれか一に記載の廃棄物回収器。
【請求項９】
前記内環状体は、合成樹脂で形成され、前記外環状体は、紙で形成されることを特徴とする請求項４乃至６のうちいずれか一に記載の廃棄物回収器。
【請求項１０】
前記外環状体と前記内環状体とは、夫々所定の厚みと幅と直径とを有する板状の環状体に形成されて成ることを特徴とする請求項１乃至９のうちいずれか一に記載の廃棄物回収器。
【請求項１１】
前記袋体は、合成樹脂で形成された樹脂袋又はレジ袋であることを特徴とする請求項１乃至１０のうちいずれか一に記載の廃棄物回収器。
【考案の詳細な説明】
【技術分野】
【０００１】
本考案は、犬の糞及び塵等の廃棄物を容易且つ確実に回収できる、安価な、犬の糞及び塵等の廃棄物回収器に関するものである。
【背景技術】
【０００２】
犬の糞を回収する用具は、公知であり、既に市販もされている。
それらの用具としては、例えば、（１）ペットシーツの如く犬の糞を予め地面又は床面上に敷設したペットシーツで受け取り、ペットシーツと共に回収するもの、（２）犬の糞が地上に落下してから物理的に回収するもの、（３）犬の糞が地面又は床面に落下する前に回収するもの等がある。
ペットシーツは、屋内で多く用いられ、屋外では、犬が糞をする場合、ペットシーツの上に糞をしない虞があり、又、ペットシーツも嵩張るため携帯しづらい問題がある。
犬の糞が地面又は床面上に落下してから物理的に回収する場合、完全に回収できない虞があり、未回収物が発生すると、汚染や、異臭の発生の虞があり、更に環境を汚染する虞もある。
犬の糞が地上に落下する前に回収する場合、完全な回収ができる場合と、完全な回収ができない場合があり、完全な回収ができなかった場合は、前述の犬の糞が地上に落下してから物理的に回収する場合と同様の問題が発生する。
【０００３】
此種技術の先行文献として、例えば、特許文献１及び特許文献２があり、特許文献１には、把手部が一体に形成された所定のリング幅を有する固定リング部と、回動リング部を備え、いずれか一方のリング部外側面と他方のリング部内側面との間に回収袋を挟み込み可能に形成され、外側に位置するリング部が径方向に縮小可能、及び／又は内側に位置するリング部が径方向に拡大可能な弾性部材からなる犬用糞取り器が記載されている。
【０００４】
又、特許文献２には、柄付きの固定リングと柄の元部を支点に上下に動く可動リングからなり、市販のビニール袋を使用し、上の固定リングを覆うように下の可動リングの内側に入れ込み、可動リングでビニール袋を挟み込むように固定リングの先端についている２個のストッパーに止める犬の糞とり器が記載されている。
【先行技術文献】
【特許文献】
【０００５】
【特許文献１】実用新案登録第３１４５６６０号公報
【特許文献２】特開２００５−２６１４０３号公報
【考案の概要】
【考案が解決しようとする課題】
【０００６】
前述したように、公知又は既に市販されている犬の糞を回収する用具は、種々の問題点がある。
一方、特許文献１及び特許文献２に記載の用具は、犬の糞が地上に落下する前に回収する用具としてその効果が期待できるが、回動リング部や、可動リング、弾性部材、ストッパー等の構成要素を有し、構成が比較的に複雑であり、製造コストがかかるという問題がある。
そこで、従来の問題点を改良した犬の糞等の廃棄物回収器が得られれば利便性が向上する。又、改良した技術を利用して、他の用途に利用できる廃棄物回収器、例えば、塵やごみ等の廃棄物回収器が得られれば、更に利便性が向上する。
【０００７】
以上の現状に鑑み、本考案は、犬の糞が地面又は床面に落下する前に、容易且つ確実に回収できる、安価な、犬の糞等の廃棄物回収器を提供することを目的とする。
又、本考案は、塵やごみ等の廃棄物を容易且つ確実に回収できる、安価な、塵等の廃棄物回収器を提供することを目的とする。
【課題を解決するための手段】
【０００８】
上記の課題を解決すべく、本考案は以下の構成を提供する。
請求項１に係る考案は、外周部に、外周部から所定長さ突出する柄が固着された外環状体と、前記外環状体内に嵌入・取り外し自在の内環状体とを備え、前記外環状体内に前記内環状体が嵌入される時、前記外環状体内と前記内環状体との間に、袋体の開放端部全周を挟持自在に構成され、犬の糞等を回収するように構成されたことを特徴とする廃棄物回収器を提供するものである。
【０００９】
請求項２に係る考案は、外周部に、外周部から所定長さ突出する柄が固着された外環状体と、前記外環状体内に嵌入・取り外し自在に構成されると共に、一端外周部の所定範囲から所定長さ突出し、突出先端部が所定幅で直線状に形成されたヘラを具備する内環状体とを備え、前記外環状体内に前記内環状体が嵌入される時、前記外環状体内と前記内環状体との間に、袋体の開放端部全周を挟持自在に構成され、塵等を回収するように構成されたことを特徴とする廃棄物回収器を提供するものである。
【００１０】
請求項３に係る考案は、前記内環状体の一端外周部に所定長さ突出する柄が固着されたことを特徴とする請求項１又は２記載の廃棄物回収器を提供するものである。
【００１１】
請求項４に係る考案は、一端外周部に、外周部から所定長さ突出する柄が固着された内環状体と、前記内環状体外周部に装着・取り外し自在の外環状体とを備え、前記内環状体外周部に前記外環状体が装着される時、前記内環状体外周部と前記外環状体との間に、袋体の開放端部全周を挟持自在に構成され、犬の糞等を回収するように構成されたことを特徴とする廃棄物回収器を提供するものである。
【００１２】
請求項５に係る考案は、一端外周部に、外周部から所定長さ突出する柄が固着された内環状体と、前記内環状体外周部に装着・取り外し自在に構成されると共に、一端外周部の所定範囲から所定長さ突出し、突出先端部が所定幅で直線状に形成されたヘラを具備する外環状体とを備え、前記内環状体外周部に前記外環状体が装着される時、前記内環状体外周部と前記外環状体との間に、袋体の開放端部全周を挟持自在に構成され、塵等を回収するように構成されたことを特徴とする廃棄物回収器を提供するものである。
【００１３】
請求項６に係る考案は、前記外環状体の一端外周部に所定長さ突出する柄が固着されたことを特徴とする請求項４又は５記載の廃棄物回収器を提供するものである。
【００１４】
請求項７に係る考案は、前記外環状体内と前記内環状体とは、合成樹脂で形成されることを特徴とする請求項１乃至６のうちいずれか一に記載の廃棄物回収器を提供するものである。
【００１５】
請求項８に係る考案は、前記外環状体は、合成樹脂で形成され、前記内環状体は、紙で形成されることを特徴とする請求項１乃至３のうちいずれか一に記載の廃棄物回収器を提供するものである。
【００１６】
請求項９に係る考案は、前記内環状体は、合成樹脂で形成され、前記外環状体は、紙で形成されることを特徴とする請求項４乃至６のうちいずれか一に記載の廃棄物回収器を提供するものである。
【００１７】
請求項１０に係る考案は、前記外環状体と前記内環状体とは、夫々所定の厚みと幅と直径とを有する板状の環状体に形成されて成ることを特徴とする請求項１乃至９のうちいずれか一に記載の廃棄物回収器を提供するものである。
【００１８】
請求項１１に係る考案は、前記袋体は、合成樹脂で形成された樹脂袋又はレジ袋であることを特徴とする請求項１乃至１０のうちいずれか一に記載の廃棄物回収器を提供するものである。
【考案の効果】
【００１９】
本考案の請求項１記載の考案によれば、犬の糞が地面又は床面に落下する前に、容易且つ確実に回収できる、安価な、犬の糞等の廃棄物回収器を提供することができる。
又、本考案の廃棄物回収器は、袋体を取り替えることにより、繰り返し使用可能であり、犬の糞等の廃棄物回収費用を安価に抑えることができる。
更に、本考案の廃棄物回収器は、廃棄物回収器に装着した袋体の開口部を垂直にすれば、地面又は床面の塵やごみ等の廃棄物を箒等で掃き入れることにより回収することも可能である。
【００２０】
請求項２記載の考案によれば、地面又は床面の塵やごみ等の廃棄物を容易且つ確実に回収できる、安価な、塵等の廃棄物回収器を提供することができる。
又、本考案の廃棄物回収器は、袋体を取り替えることにより、繰り返し使用可能であり、塵やごみ等の廃棄物回収費用を安価に抑えることができる。
更に、地面等に落下した犬の糞等を回収することも可能である。
【００２１】
請求項３記載の考案によれば、請求項１又は２記載の考案の効果に加え、前記内環状体の一端外周部に所定長さ突出する柄が固着されているので、その柄を把持することにより、内環状体が外れないように保持することができると共に、外環状体の柄に内環状体の柄を重ねることにより、２つの柄により、柄の強度を高めることができる。更に、内環状体に固着された柄により、内環状体の取り外しが容易である。
【００２２】
請求項４記載の考案によれば、犬の糞が地面又は床面に落下する前に、容易且つ確実に回収できる、安価な、犬の糞等の廃棄物回収器を提供することができる。
又、本考案の廃棄物回収器は、袋体を取り替えることにより、繰り返し使用可能であり、犬の糞等の廃棄物回収費用を安価に抑えることができる。
更に、本考案の廃棄物回収器は、内環状体の外側に外環状体を装着しながら、袋体の開放端を内環状体の外側に折り曲げ、内環状体と外環状体とにより、袋体の開放端部全周を圧接挟持させることができる。これにより、袋体の開放端部の折り曲げ、挟持が容易になると共に、袋体を確実に保持することが可能である。
更に又、本考案の廃棄物回収器は、廃棄物回収器に装着した袋体の開口部を垂直にすれば、地面又は床面の塵やごみ等の廃棄物を箒等で掃き入れることにより回収することも可能である。
【００２３】
請求項５記載の考案によれば、地面又は床面の塵やごみ等の廃棄物を容易且つ確実に回収できる、安価な、塵等の廃棄物回収器を提供することができる。
又、本考案の廃棄物回収器は、袋体を取り替えることにより、繰り返し使用可能であり、塵やごみ等の廃棄物回収費用を安価に抑えることができる。
更に、地面等に落下した犬の糞等を回収することも可能である。
更に又、本考案の廃棄物回収器は、内環状体の外側に外環状体を装着しながら、袋体の開放端を内環状体の外側に折り曲げ、内環状体と外環状体とにより、袋体の開放端部全周を圧接挟持させることができる。これにより、袋体の開放端部の折り曲げ、挟持が容易になると共に、袋体を確実に保持することが可能である。
【００２４】
請求項６記載の考案によれば、請求項４又は５記載の考案の効果に加え、前記外環状体の一端外周部に所定長さ突出する柄が固着されているので、柄を把持することにより、外環状体が外れないように保持することができると共に、内環状体の柄に外環状体の柄を重ねることにより、２つの柄により、柄の強度を高めることができる。更に、外環状体に固着された柄により、外環状体の取り外しが容易である。
【００２５】
請求項７記載の考案によれば、請求項１乃至６のうちいずれか一に記載の考案の効果に加え、前記外環状体内と前記内環状体とは、合成樹脂で形成されるので、所定の強度をもたせることができると共に、製造コストが安価である。
【００２６】
請求項８記載の考案によれば、請求項１乃至３のうちいずれか一に記載の考案の効果に加え、前記外環状体は、合成樹脂で形成されるので、所定の強度をもたせることができると共に、前記内環状体は、紙で形成されるので、廃棄が容易であると共に、製造コストも安価であり、内環状体を使い捨てにすることができる。
【００２７】
請求項９記載の考案によれば、請求項４乃至６のうちいずれか一に記載の考案の効果に加え、前記内環状体は、合成樹脂で形成されるので、所定の強度をもたせることができると共に、前記外環状体は、紙で形成されるので、廃棄が容易であると共に、製造コストも安価であり、外環状体を使い捨てにすることができる。
【００２８】
請求項１０記載の考案によれば、請求項１乃至９のうちいずれか一に記載の考案の効果に加え、前記外環状体と前記内環状体とは、夫々所定の厚みと幅と直径とを有する板状の環状体に形成されて成るので、外環状体の内周部と内環状体の外周部とが所定の幅で嵌合することが可能となり、袋体を確実に圧接保持することができる。
【００２９】
請求項１１記載の考案によれば、請求項１乃至１０のうちいずれか一に記載の前記袋体は、合成樹脂で形成された樹脂袋又はレジ袋であるので、安価であり、又、廃棄物を回収したあと廃棄が容易である。
【図面の簡単な説明】
【００３０】
【図１】（ａ）本考案による第１実施例の廃棄物回収器の斜視図である。（ｂ）本考案による第１実施例の廃棄物回収器の正面断面図である。
【図２】本考案による第１実施例の廃棄物回収器の組み立て方法を説明する斜視図である。
【図３】（ａ）〜（ｃ）本考案による第１実施例の廃棄物回収器の組み立て方法を説明する正面断面図である。
【図４】本考案による第１実施例の廃棄物回収器の使用方法を説明する正面断面図である。
【図５】本考案による第１実施例の変形例の廃棄物回収器の斜視図である。
【図６】（ａ）本考案による第２実施例の廃棄物回収器の斜視図である。（ｂ）本考案による第２実施例の廃棄物回収器の正面断面図である。
【図７】本考案による第２実施例の廃棄物回収器の使用方法を説明する正面断面図である。
【図８】（ａ）〜（ｃ）本考案による第３実施例の廃棄物回収器の組み立て方法を説明する正面断面図である。
【図９】本考案による第３実施例の変形例の廃棄物回収器の斜視図である。
【図１０】本考案による第４実施例の廃棄物回収器の斜視図である。
【考案を実施するための形態】
【００３１】
以下、実施例を示した図面を参照しつつ本考案の実施の形態を説明する。
【実施例１】
【００３２】
図１に於いて１は、主として犬の糞等を回収するように構成された本考案による実施例１の廃棄物回収器である。
廃棄物回収器１は、外周部に、外周部から所定長さ突出する柄２が固着された外環状体３と、外環状体３内に嵌入・取り外し自在の内環状体４とを備え、外環状体３内に内環状体４が嵌入される時、外環状体３内と内環状体４との間に、袋体５の開放端部５ａ全周を圧接する如く挟持自在に構成されている。
尚、図に於いて、柄２は外環状体３の下端外周部に固着されているが、上端、又は上端と下端との間に固着されても良い。
【００３３】
そして、前記外環状体３内と内環状体４とは、夫々所定の厚み（例えば０．５ｍｍ）と幅（例えば１０ｍｍ）と直径（例えば、内環状体４の外径が１７０ｍｍ、外環状体３の内径が１７３ｍｍ）とを有する板状の環状体に形成され、例えば、プラスチック等の硬質の合成樹脂で形成されている。尚、前記外環状体３内と内環状体４の前記寸法は、前述の例示した数値に限定されるものではなく、実用に合わせて適宜変更することも可能である。
尚、前記外環状体３内と内環状体４の材質は、硬質の合成樹脂が好適であるが、これに限定されるものではなく、金属、木、竹、ファイバー、紙等、他の材料を用いても良い。
特に、内環状体４は、汚れる可能性が高いので、使い捨てできる紙等で形成することも可能である。
【００３４】
又、柄２は、例えば、厚み０．５ｍｍ、幅２０ｍｍ、長さ７５ｍｍに形成される。尚、前記柄２の寸法は、前述の例示した数値に限定されるものではなく、実用に合わせて適宜変更することも可能である。
前記袋体５は、ビニール袋等の合成樹脂で形成された樹脂袋又はレジ袋である。
尚、前記袋体５の材質は、樹脂袋又はレジ袋が好適であるが、これに限定されるものではなく、例えば内部を防水加工した紙袋等や他の材料を用いても良い。
【００３５】
図１は、外環状体３内に内環状体４が嵌入され、外環状体３内と内環状体４との間に、袋体５の開放端部５ａ全周が圧接挟持された状態を示している。
尚、図１に於いて、６は、柄２の先端部に開穿した孔であり、持ち運び、又は、取扱いを容易にするための紐等を取り付けるためのものである。
【００３６】
図２及び図３は、図１に示した廃棄物回収器１の組み立て方法を示している。
先ず、図２及び図３（ａ）に示す如く、外環状体３と、内環状体４と、袋体５を用意して、袋体５の開放端部５ａを若干萎めた状態で外環状体３の内側を貫通させ、貫通後に、図３（ｂ）に示す如く、袋体５の開放端５ｂを広げ、図３（ｃ）に示す如く、袋体５の開放端５ｂを外環状体３の外側に折り曲げ、外環状体３の内側であって、袋体５の内側に内環状体４を嵌入させ、外環状体３内と内環状体４との間に、袋体５の開放端部５ａ全周を圧接挟持させる。これにより、廃棄物回収器１の組み立てを行うことができる。
【００３７】
図４は、前記廃棄物回収器１を使用する方法の一例を示している。
前述したように廃棄物回収器１を組み立てた状態で、犬が糞の排泄行動の兆候を示した時、犬の糞が地面又は床面に落下する前に、犬のお尻の下に廃棄物回収器１の外環状体３内と内環状体４の中心部がくるように位置させると、図４の矢印で示す如く落下する犬の糞は、内環状体４内を通過して袋体５内に落下し、袋体５内に収納される。
【００３８】
袋体５は、開放端５ｂが外環状体３の外側に折り曲げられ、開放端部５ａ全周が外環状体３内と内環状体４との間に圧接挟持されているので、袋体５内に犬の糞が収納された状態で廃棄物回収器１を持上げた場合も、袋体５が、犬の糞の重さによって、外環状体３と内環状体４との間から抜け落ちる虞はなく、廃棄物回収器１をそのまま持ち運ぶことも可能である。
内環状体４を外環状体３内から取り出し、袋体５を下方に引くと、袋体５の上端部が外環状体３内を抜け落ち、袋体５を廃棄物回収器１から取外すことができる。
尚、前記廃棄物回収器１は、例えば、廃棄物回収器１に装着した袋体５の開口部を垂直にすれば、地面又は床面の塵やごみ等を箒等で掃き入れ回収することも可能である。
【００３９】
図５に於いて、１１は、前記廃棄物回収器（図１に於いて１）の変形例の廃棄物回収器を示し、廃棄物回収器１１は、前記廃棄物回収器（図１に於いて１）の内環状体４の一端外周部（図５に於いて上端外周部）に前記柄２と同様の所定長さ突出する柄１２が固着されたものである。
内環状体４は外環状体３の中に嵌入させるものであるため、柄１２は、内環状体４の上端外周部に固着されることが望ましいが、この場合、外環状体３の柄２も、内環状体４が外環状体３の中に嵌入した時、内環状体４の柄１２に重なるような位置、即ち、外環状体３の上端外周部に固着されていることが望ましい。
尚、廃棄物回収器１１は、内環状体４の上端外周部に柄１２が固着されているため、内環状体４の上端近傍は外環状体３内に嵌入できない部分が発生するが、嵌入できない部分に比較して嵌入部分が比較的大きいため、袋体５の挟持力の低下の虞はない。
又、廃棄物回収器１１に於いて、柄１２を内環状体４の上端外周部に固着させることに代えて、内環状体４の上端に固着させることも可能であり、その場合、内環状体４の全幅を外環状体３内に嵌入させることができる。
【実施例２】
【００４０】
図６に於いて２１は、主として塵等を回収するように構成された本考案による実施例２の廃棄物回収器である。
廃棄物回収器２１は、前記廃棄物回収器（図１に於いて１）の内環状体（図１に於いて４）に代えて、突出先端部が所定幅（例えば７０ｍｍ）で直線状に形成された平板状のヘラ２２を具備する内環状体２３を備えたものである。
【００４１】
ヘラ２２は、厚みが例えば、０．５ｍｍ、内環状体２３外周部からのヘラ２２の突出長さが、ヘラ２２の幅中央部に於いて例えば、４５ｍｍに設定する。尚、ヘラ２２の前記寸法は、前述の例示した数値に限定されるものではなく、実用に合わせて適宜変更することも可能である。
内環状体２３も前記内環状体（図１に於いて４）と同様の材質で形成され、ヘラ２２も同様の材質で形成される。
但し、ヘラ２２を内環状体２３の本体と異なる材質で形成することも可能である。
【００４２】
図７は、前記廃棄物回収器２１を使用する方法の一例を示している。
廃棄物回収器２１を図６に示す如く組み立てた状態で、ヘラ２２の先端を地面又は床面等に接触させ、袋体５の開放部が斜め上方を向くように廃棄物回収器２１を斜め姿勢にし、地面又は床面等にある塵等２４を箒２５等で掃き寄せると、塵等２４は、ヘラ２２上を通って内環状体２３内に入り、袋体５内に収容される。
【００４３】
袋体５は、開放端５ｂが外環状体３の外側に折り曲げられ、開放端部５ａ全周が外環状体３内と内環状体２３との間に圧接挟持されているので、袋体５内に大量の塵等２４が収納された状態で袋体５を持上げた場合も、袋体５が、塵等の重さによって、外環状体３内と内環状体２３との間から抜け落ちる虞はなく、廃棄物回収器２１をそのまま持ち運ぶことも可能である。
内環状体２３を外環状体３内から取り出し、袋体５を下方に引くと、袋体５の上端部が外環状体３内を抜け落ち、袋体５を廃棄物回収器２１から取外すことができる。
【００４４】
尚、内環状体２３も、前記内環状体（図１に於いて４）と同様、或いはそれ以上に汚れる可能性が高いので、使い捨てできる紙等で形成することも可能である。
又、前記廃棄物回収器２１は、地面等に落下した犬の糞等を回収することも可能である。その場合は、内環状体２３のヘラ２２とその回りの内環状体２３が汚れるので内環状体２３を使い捨てにすれば良い。
更に、前記廃棄物回収器２１に於いて、内環状体２３の一端外周部に前記所定長さ突出する柄（図５に於いて１２）を固着することも可能である。然る時も前記柄（図５に於いて１２）と同様の効果が期待できる。
【実施例３】
【００４５】
図８に於いて３１は、主として犬の糞等を回収するように構成された本考案による実施例３の廃棄物回収器である。
廃棄物回収器３１は、一端外周部に、外周部から所定長さ突出する柄３２が固着された内環状体３３と、内環状体３３外周部に装着・取り外し自在の外環状体３４とを備え、内環状体３３外周部に外環状体３４が装着される時、内環状体３３外周部と外環状体３４との間に、袋体５の開放端部全周を挟持自在に構成され、犬の糞等を回収するように構成されたものである。
【００４６】
図８を用いて、廃棄物回収器３１の組み立て方法を説明すると、先ず、図８（ａ）に示す如く、内環状体３３と、外環状体３４と、袋体５を用意して、袋体５の開放端部５ａを若干萎めた状態で内環状体３３の内側を貫通させ、貫通後に、図８（ｂ）に示す如く、袋体５の開放端５ｂを広げ、図８（ｃ）に示す如く、内環状体３３の外側に外環状体３４を装着しながら、袋体５の開放端５ｂを内環状体３３の外周側に折り曲げ、内環状体３３と外環状体３４とにより、袋体５の開放端部５ａ全周を圧接挟持させる。これにより、廃棄物回収器３１の組み立てを行うことができる。
廃棄物回収器３１の使用方法は、図４に示す、前記廃棄物回収器１と同様であるので説明を省略する。
【００４７】
廃棄物回収器３１に於いて、袋体５は、開放端５ｂが内環状体３３の外周側に折り曲げられ、開放端部５ａ全周が内環状体３３内と外環状体３４との間に圧接挟持されているので、袋体５内に犬の糞が収納された状態で廃棄物回収器３１を持上げた場合も、袋体５が、犬の糞の重さによって、内環状体３３内と外環状体３４との間から抜け落ちる虞はなく、廃棄物回収器３１をそのまま持ち運ぶことも可能である。
そして、外環状体３４を内環状体３３内から取り外し、袋体５を下方に引くと、袋体５の上端部が内環状体３３内を抜け落ち、袋体５を廃棄物回収器３１から取外すことができる。
尚、前記廃棄物回収器３１は、例えば、廃棄物回収器３１に装着した袋体５の開口部を垂直にすれば、地面又は床面の塵やごみ等を箒等で掃き入れ回収することも可能である。
【００４８】
図９に於いて、４１は、前記廃棄物回収器（図１に於いて３１）の変形例の廃棄物回収器を示し、廃棄物回収器４１は、前記廃棄物回収器（図１に於いて３１）の外環状体３４の一端外周部（図９に於いて下端外周部）に前記柄３２と同様の所定長さ突出する柄４２が固着されたものである。
柄４２は、前記柄（図５に於いて１２）と同様の効果が期待できる。
【実施例４】
【００４９】
図１０に於いて５１は、主として塵等を回収するように構成された本考案による実施例４の廃棄物回収器である。
廃棄物回収器５１は、前記廃棄物回収器（図８に於いて３１）の外環状体（図８に於いて３４）に代えて、突出先端部が所定幅（例えば７０ｍｍ）で直線状に形成された平板状のヘラ５２を具備する外環状体５３を備えたものである。
ヘラ５２は、前記ヘラ（図６に於いて２２）と同様に形成されたものであり、前記ヘラ（図６に於いて２２）と同様の効果が期待できる。
【００５０】
廃棄物回収器５１の使用方法については、図７に示した前記廃棄物回収器２１を使用する方法と同じであるのでその説明は省略する。
尚、外環状体５３も、前記外環状体（図８に於いて３４）と同様、或いはそれ以上に汚れる可能性が高いので、使い捨てできる紙等で形成することも可能である。
又、前記廃棄物回収器５１は、地面等に落下した犬の糞等を回収することも可能である。その場合は、外環状体５３のヘラ５２とその回りの外環状体５３が汚れるので外環状体５３を使い捨てにすれば良い。
更に、前記廃棄物回収器５１に於いて、外環状体５３の一端外周部に前記所定長さ突出する柄（図９に於いて４２）を固着することも可能である。然る時も前記柄（図９に於いて４２）と同様の効果が期待できる。
【符号の説明】
【００５１】
１，１１，２１，３１  廃棄物回収器
２，１２，３２  柄
３，３４，５３  外環状体
４，２３，３３  内環状体
５  袋体
５ａ  開放端部
２２，５２  ヘラ
２４  塵等
【図１】
0003156187.tif 000003
【図２】
0003156187.tif 000004
【図３】
0003156187.tif 000005
【図４】
0003156187.tif 000006
【図５】
0003156187.tif 000007
【図６】
0003156187.tif 000008
【図７】
0003156187.tif 000009
【図８】
0003156187.tif 000010
【図９】
0003156187.tif 000011
【図１０】
0003156187.tif 000012